(57)【要約】【課題】上位ネットワークの輻輳状態に関わらず、配信エリア内に在圏する複数の無線端末のそれぞれに対して、確実に通知情報を同報配信することができる無線制御装置、無線制御方法、およびプログラムを提供する。【解決手段】無線制御装置４は、管理エリアの全部または一部の配信エリア内に在圏する複数の無線端末のそれぞれに対して配信すべき内容を示す通知情報と、配信エリアを決定するための指標となる配信先情報とを含む送信データが、管理エリア内に在圏する複数の無線端末のうち一の無線端末から送信され、当該無線端末から送信された送信データを受信するデータ受信部４１と、配信先情報を指標として配信エリアを決定する配信エリア決定部４６と、決定された配信エリア内に在圏する複数の無線端末のそれぞれに対して、通知情報を同報配信するように、データ送信部４７に対して指示する無線制御部４２とを備える。【選択図】図１
2009232093.tif 000002
【特許請求の範囲】
【請求項１】
管理エリア内に在圏する複数の無線端末と、上位ネットワークとの間の通信を中継する無線制御装置において、
前記管理エリアの全部または一部の配信エリア内に在圏する複数の無線端末のそれぞれに対して配信すべき内容を示す通知情報と、前記配信エリアを決定するための指標となる配信先情報とを含む送信データが、前記管理エリア内に在圏する複数の無線端末のうち一の無線端末から送信され、当該無線端末から送信された送信データを受信するデータ受信部と、
前記配信先情報を指標として配信エリアを決定する配信エリア決定部と、
前記配信エリア決定部により決定された配信エリア内に在圏する複数の無線端末のそれぞれに対して、前記通知情報を同報配信するように、前記無線制御装置が備えるデータ送信部に対して指示する無線制御部とを備えたことを特徴とする無線制御装置。
【請求項２】
管理エリア内に在圏する複数の無線端末と、上位ネットワークとの間の通信を中継するコンピュータが処理を実行する無線制御方法において、
前記コンピュータが備えるデータ受信部が、前記管理エリアの全部または一部の配信エリア内に在圏する複数の無線端末のそれぞれに対して配信すべき内容を示す通知情報と、前記配信エリアを決定するための指標となる配信先情報とを含む送信データが、前記管理エリア内に在圏する複数の無線端末のうち一の無線端末から送信され、当該無線端末から送信された送信データを受信するデータ受信工程と、
前記コンピュータが備える配信エリア決定部が、前記配信先情報を指標として配信エリアを決定する配信エリア決定工程と、
前記コンピュータが備える無線制御部が、前記配信エリア決定工程により決定された配信エリア内に在圏する複数の無線端末のそれぞれに対して、前記通知情報を同報配信するように、前記コンピュータが備えるデータ送信部に対して指示する無線制御工程とを含むことを特徴とする無線制御方法。
【請求項３】
管理エリア内に在圏する複数の無線端末と、上位ネットワークとの間の通信を中継するコンピュータに処理を実行させるプログラムにおいて、
前記管理エリアの全部または一部の配信エリア内に在圏する複数の無線端末のそれぞれに対して配信すべき内容を示す通知情報と、前記配信エリアを決定するための指標となる配信先情報とを含む送信データが、前記管理エリア内に在圏する複数の無線端末のうち一の無線端末から送信され、当該無線端末から送信された送信データを受信するデータ受信処理と、
前記配信先情報を指標として配信エリアを決定する配信エリア決定処理と、
前記配信エリア決定処理により決定された配信エリア内に在圏する複数の無線端末のそれぞれに対して、前記通知情報を同報配信するように、前記コンピュータが備えるデータ送信部に対して指示する無線制御処理とを前記コンピュータに実行させることを特徴とするプログラム。
【請求項４】
前記コンピュータは、所定の地域エリアと、当該地域エリアをカバーする１または複数のセルとの対応関係が記録された対応関係記録部をさらに備え、
前記配信先情報は、前記送信データを送信した無線端末のユーザによって入力された地域エリアを示す地域エリア情報であって、
前記配信エリア決定処理は、前記対応関係記録部を参照することにより、前記地域エリア情報が示す地域エリアをカバーする１または複数のセルを、配信エリアとして決定する処理である、請求項３に記載のプログラム。
【請求項５】
前記配信先情報は、前記送信データを送信した無線端末が在圏するセルを示すセル情報であって、
前記配信エリア決定処理は、前記セル情報が示すセルを、配信エリアとして決定する処理である、請求項３に記載のプログラム。
【請求項６】
前記送信データには、緊急配信か一般配信かを示す配信種別情報がさらに含まれており、
前記管理エリア内に在圏する複数の無線端末が行う無線通信が輻輳しているか否かを判定する輻輳状態判定処理をさらに前記コンピュータに実行させ、
前記無線制御処理は、前記輻輳状態判定処理により管理エリア内に在圏する複数の無線端末が行う無線通信が輻輳していると判定された場合に、前記配信種別情報が緊急配信であることを示していれば、前記配信エリア内に在圏する複数の無線端末のそれぞれに対して、前記通知情報を同報配信するように、前記データ送信部に対して指示し、前記配信種別情報が一般配信であることを示していれば、前記送信データを廃棄する処理である、請求項３〜５のいずれか一項に記載のプログラム。
【請求項７】
前記無線制御処理は、前記配信エリア内に在圏する複数の無線端末のそれぞれに対して、前記通知情報を同報配信するように、前記データ送信部に対して指示した後に、当該配信エリア内に新たな無線端末が移動してきた場合に、当該配信エリア内に移動してきた新たな無線端末に対して、前記通知情報を配信するように、前記データ送信部に対して指示する処理である、請求項３〜６のいずれか一項に記載のプログラム。
【発明の詳細な説明】
【技術分野】
【０００１】
本発明は、管理エリア内に在圏する複数の無線端末と、上位ネットワークとの間の通信を中継する無線制御装置、無線制御方法、およびプログラムに関する。
【背景技術】
【０００２】
近年、日本の気象庁が提供する緊急地震速報（地震情報）や、国あるいは地方公共団体が提供する災害・避難情報を、配信エリア内に在圏する複数の携帯電話（無線端末）のそれぞれに対して、一斉に配信（同報配信）するサービスが普及しつつある。図２２は、このようなサービスを実現するための従来の配信システム１００の概略構成を示すブロック図である。図２２に示すように、上位ネットワークＮに接続された情報配信サーバ１０１には、地震情報あるいは災害・避難情報が格納される。なお、図２２では、地震情報あるいは災害・避難情報を通知情報として表している。ここで、日本の気象庁によって地震の初期微動（Ｐ波）が検知された場合に、当該気象庁によって地震情報（通知情報）が情報配信サーバ１０１に格納される。なお、地震情報には、例えば、「あと１０秒で震度７の地震が来ます」等がある。また、地震等の災害が発生した場合に、国あるいは地方公共団体によって災害・避難情報（通知情報）が情報配信サーバ１０１に格納される。なお、災害・避難情報には、例えば、「○○小学校に避難して下さい」等がある。
【０００３】
情報配信サーバ１０１に地震情報あるいは災害・避難情報が格納された場合には、情報配信サーバ１０１は、配信エリア内に在圏する複数の携帯電話のそれぞれに対して、地震情報あるいは災害・避難情報を同報配信する。なお、ここでは、配信エリア内には、携帯電話１０２ａ〜１０２ｆが在圏しているものとする。すなわち、情報配信サーバ１０１は、地震情報あるいは災害・避難情報を、上位ネットワークＮ、無線制御装置１０３、および無線基地局装置１０４ａ〜１０４ｃのそれぞれを介して、携帯電話１０２ａ〜１０２ｆのそれぞれに対して、同報配信する。ここで、地震情報が携帯電話１０２ａ〜１０２ｆに受信された場合には、携帯電話１０２ａ〜１０２ｆのユーザは、数秒後あるいは数十秒後に来ると予想される地震に対して、身の安全を図るための措置を講じることができる。また、災害・避難情報が携帯電話１０２ａ〜１０２ｆに受信された場合には、携帯電話１０２ａ〜１０２ｆのユーザは、災害状況や避難場所等を知ることができる。
【０００４】
また、災害発生時に避難場所を被災者へ知らせるための災害対応通信システムも従来から知られている（例えば、特許文献１参照）。具体的には、複数の無線基地局装置のそれぞれに、地震等の災害の発生を検知することができるセンサを備える。無線基地局装置が備えるセンサにより災害の発生が検知されると、無線基地局装置は、災害が発生したことを示す災害発生情報を無線制御装置へ送信する。無線制御装置は、災害発生情報に基づいて、最適な避難場所を検索する。無線制御装置は、検索した避難場所を示す通知情報を、災害発生情報を送信した無線基地局装置に対して送信する。無線基地局装置は、送信された通知情報を、当該無線基地局装置が通信可能なセル内に在圏する複数の携帯電話のそれぞれに対して、同報配信する。これにより、災害の発生を検知した無線基地局装置のセル内にいる被災者は、どこへ避難すれば良いかを知ることができる。
【特許文献１】特開２００７−３４９６６号公報
【発明の開示】
【発明が解決しようとする課題】
【０００５】
ところで、地震等の災害が発生した場合には、当該災害の被災エリア内にいる被災者の安否を確認するために、あるいは、被災エリア内にいる被災者が被災エリア外にいる身内や友人に無事であることを知らせるために、携帯電話を用いて通信することが一般に行われている。この場合、全国の各地域から被災エリアへ、あるいは、被災エリアから全国の各地域への通信が、通常の通信の数十倍にも及ぶこととなる。すなわち、全国の各地域と被災エリアとの間の通信は、一般に、上位ネットワークを介して行われるため、災害が発生した場合には、上位ネットワークが一時的に輻輳状態に陥ることがある。この結果、上記従来の配信システムでは、地震情報あるいは災害・避難情報を、上位ネットワークを介して、配信エリア内に在圏する複数の携帯電話のそれぞれに対して配信することができないことがあった。
【０００６】
また、上記従来の災害対応通信システムでは、無線基地局装置が備えるセンサにより災害の発生が検知され、当該無線基地局装置のセル内に在圏する複数の携帯電話のそれぞれに対して、通知情報を同報配信している。すなわち、無線基地局装置が備えるセンサにより災害の発生が検知されなければ、当該無線基地局装置のセル内に在圏する複数の携帯電話のそれぞれに対しては、通知情報は配信されない。この結果、上記従来の災害対応通信システムでは、実際の被災エリア内に在圏する携帯電話に対して、通知情報が配信されないことがあった。
【０００７】
本発明は、上記の問題点に鑑みてなされたものであり、その目的は、上位ネットワークの輻輳状態に関わらず、配信エリア内に在圏する複数の無線端末のそれぞれに対して、確実に通知情報を同報配信することができる無線制御装置、無線制御方法、およびプログラムを提供することにある。
【課題を解決するための手段】
【０００８】
上記目的を達成するために本発明における無線制御装置は、管理エリア内に在圏する複数の無線端末と、上位ネットワークとの間の通信を中継する無線制御装置において、前記管理エリアの全部または一部の配信エリア内に在圏する複数の無線端末のそれぞれに対して配信すべき内容を示す通知情報と、前記配信エリアを決定するための指標となる配信先情報とを含む送信データが、前記管理エリア内に在圏する複数の無線端末のうち一の無線端末から送信され、当該無線端末から送信された送信データを受信するデータ受信部と、前記配信先情報を指標として配信エリアを決定する配信エリア決定部と、前記配信エリア決定部により決定された配信エリア内に在圏する複数の無線端末のそれぞれに対して、前記通知情報を同報配信するように、前記無線制御装置が備えるデータ送信部に対して指示する無線制御部とを備える。
【０００９】
本発明の無線制御装置によれば、データ受信部は、管理エリア内に在圏する複数の無線端末のうち一の無線端末から送信された送信データを受信する。ここで、送信データは、管理エリアの全部または一部の配信エリア内に在圏する複数の無線端末のそれぞれに対して配信すべき内容を示す通知情報と、配信エリアを決定するための指標となる配信先情報とを含む。そして、配信エリア決定部は、配信先情報を指標として配信エリアを決定する。無線制御部は、決定された配信エリア内に在圏する複数の無線端末のそれぞれに対して、通知情報を同報配信するように、無線制御装置が備えるデータ送信部に対して指示する。これにより、配信エリア内に在圏する複数の無線端末のそれぞれに対して、上位ネットワークを介することなく、通知情報が同報配信される。この結果、上位ネットワークの輻輳状態に関わらず、配信エリア内に在圏する複数の無線端末のそれぞれに対して、確実に通知情報を同報配信することができる。
【００１０】
上記目的を達成するために本発明における無線制御方法は、管理エリア内に在圏する複数の無線端末と、上位ネットワークとの間の通信を中継するコンピュータが処理を実行する無線制御方法において、前記コンピュータが備えるデータ受信部が、前記管理エリアの全部または一部の配信エリア内に在圏する複数の無線端末のそれぞれに対して配信すべき内容を示す通知情報と、前記配信エリアを決定するための指標となる配信先情報とを含む送信データが、前記管理エリア内に在圏する複数の無線端末のうち一の無線端末から送信され、当該無線端末から送信された送信データを受信するデータ受信工程と、前記コンピュータが備える配信エリア決定部が、前記配信先情報を指標として配信エリアを決定する配信エリア決定工程と、前記コンピュータが備える無線制御部が、前記配信エリア決定工程により決定された配信エリア内に在圏する複数の無線端末のそれぞれに対して、前記通知情報を同報配信するように、前記コンピュータが備えるデータ送信部に対して指示する無線制御工程とを含む。
【００１１】
上記目的を達成するために本発明におけるプログラムは、管理エリア内に在圏する複数の無線端末と、上位ネットワークとの間の通信を中継するコンピュータに処理を実行させるプログラムにおいて、前記管理エリアの全部または一部の配信エリア内に在圏する複数の無線端末のそれぞれに対して配信すべき内容を示す通知情報と、前記配信エリアを決定するための指標となる配信先情報とを含む送信データが、前記管理エリア内に在圏する複数の無線端末のうち一の無線端末から送信され、当該無線端末から送信された送信データを受信するデータ受信処理と、前記配信先情報を指標として配信エリアを決定する配信エリア決定処理と、前記配信エリア決定処理により決定された配信エリア内に在圏する複数の無線端末のそれぞれに対して、前記通知情報を同報配信するように、前記コンピュータが備えるデータ送信部に対して指示する無線制御処理とを前記コンピュータに実行させる。
【００１２】
なお、本発明における無線制御方法およびプログラムは、上記の無線制御装置と同様の効果を得る。
【発明の効果】
【００１３】
以上のように、本発明の無線制御装置、無線制御方法、およびプログラムは、上位ネットワークの輻輳状態に関わらず、配信エリア内に在圏する複数の無線端末のそれぞれに対して、確実に通知情報を同報配信することができるという効果を奏する。
【発明を実施するための最良の形態】
【００１４】
本発明の実施形態において、前記無線制御装置は、所定の地域エリアと、当該地域エリアをカバーする１または複数のセルとの対応関係が記録された対応関係記録部をさらに備え、前記配信先情報は、前記送信データを送信した無線端末のユーザによって入力された地域エリアを示す地域エリア情報であって、前記配信エリア決定部は、前記対応関係記録部を参照することにより、前記地域エリア情報が示す地域エリアをカバーする１または複数のセルを、配信エリアとして決定する態様とするのが好ましい。すなわち、この態様によれば、無線端末のユーザによって入力された地域エリアをカバーする１または複数のセルを、配信エリアとして決定している。このため、無線端末のユーザによって入力された地域エリア内に在圏している複数の無線端末のそれぞれに対して、通知情報を同報配信することができる。
【００１５】
本発明の実施形態において、前記配信先情報は、前記送信データを送信した無線端末が在圏するセルを示すセル情報であって、前記配信エリア決定部は、前記セル情報が示すセルを、配信エリアとして決定する態様とするのが好ましい。すなわち、この態様によれば、無線端末が在圏するセルを、配信エリアとして決定している。このため、無線端末が在圏するセル内に在圏している複数の無線端末のそれぞれに対して、通知情報を同報配信することができる。
【００１６】
本発明の実施形態において、前記無線制御装置は、所定の地域エリアと、当該地域エリアをカバーする１または複数のセルとの対応関係が記録された対応関係記録部をさらに備え、前記配信先情報は、前記送信データを送信した無線端末が在圏する地域エリアを示す地域エリア情報であって、前記配信エリア決定部は、前記対応関係記録部を参照することにより、前記地域エリア情報が示す地域エリアをカバーする１または複数のセルを、配信エリアとして決定する態様とするのが好ましい。すなわち、この態様によれば、無線端末が在圏する地域エリアをカバーする１または複数のセルを、配信エリアとして決定している。このため、無線端末が在圏する地域エリア内に在圏している複数の無線端末のそれぞれに対して、通知情報を同報配信することができる。
【００１７】
本発明の実施形態において、前記無線制御装置は、１または複数のセルを示すセル情報が予め記録されたセル情報記録部をさらに備え、前記配信先情報は、前記セル情報記録部に記録されたセル情報の読み出しを指示する読出指示情報であって、前記配信エリア決定部は、前記読出指示情報に基づいて、前記セル情報記録部からセル情報を読み出し、読み出したセル情報が示す１または複数のセルを、配信エリアとして決定する態様とするのが好ましい。すなわち、この態様によれば、セル情報記録部に予め記録されたセル情報が示す１または複数のセルを、配信エリアとして決定している。このため、セル情報記録部に予め記録されたセル情報が示す１または複数のセル内に在圏している複数の無線端末のそれぞれに対して、通知情報を同報配信することができる。
【００１８】
本発明の実施形態において、前記送信データには、緊急配信か一般配信かを示す配信種別情報がさらに含まれており、前記無線制御装置は、前記管理エリア内に在圏する複数の無線端末が行う無線通信が輻輳しているか否かを判定する輻輳状態判定部をさらに備え、前記無線制御部は、前記輻輳状態判定部により管理エリア内に在圏する複数の無線端末が行う無線通信が輻輳していると判定された場合に、前記配信種別情報が緊急配信であることを示していれば、前記配信エリア内に在圏する複数の無線端末のそれぞれに対して、前記通知情報を同報配信するように、前記データ送信部に対して指示し、前記配信種別情報が一般配信であることを示していれば、前記送信データを廃棄する態様とするのが好ましい。
【００１９】
この態様によれば、輻輳状態判定部により管理エリア内に在圏する複数の無線端末が行う無線通信が輻輳していると判定された場合に、無線制御部は、配信種別情報が緊急配信か一般配信かに応じて、次の処理を行う。すなわち、配信種別情報が緊急配信であることを示していれば、無線制御部は、配信エリア内に在圏する複数の無線端末のそれぞれに対して、通知情報を同報配信するように、データ送信部に対して指示する。一方、配信種別情報が一般配信であることを示していれば、無線制御部は、送信データを廃棄する。すなわち、配信種別情報が緊急配信であることを示していれば、無線制御部は、輻輳状態判定部により管理エリア内に在圏する複数の無線端末が行う無線通信が輻輳していると判定された場合であっても、配信エリア内に在圏する複数の無線端末のそれぞれに対して、通知情報を同報配信するように、データ送信部に対して指示することができる。
【００２０】
本発明の実施形態において、前記無線制御部は、前記配信エリア内に在圏する複数の無線端末のそれぞれに対して、前記通知情報を同報配信するように、前記データ送信部に対して指示した後に、当該配信エリア内に新たな無線端末が移動してきた場合に、当該配信エリア内に移動してきた新たな無線端末に対して、前記通知情報を配信するように、前記データ送信部に対して指示する態様とするのが好ましい。これにより、配信エリア内に在圏する複数の無線端末のそれぞれに対して、通知情報を同報配信した後に、当該配信エリア内に新たな無線端末が移動してきた場合であっても、当該配信エリア内に移動してきた新たな無線端末に対して、通知情報を配信することができる。
【００２１】
本発明の実施形態において、前記コンピュータは、所定の地域エリアと、当該地域エリアをカバーする１または複数のセルとの対応関係が記録された対応関係記録部をさらに備え、前記配信先情報は、前記送信データを送信した無線端末のユーザによって入力された地域エリアを示す地域エリア情報であって、前記配信エリア決定処理は、前記対応関係記録部を参照することにより、前記地域エリア情報が示す地域エリアをカバーする１または複数のセルを、配信エリアとして決定する処理である態様とするのが好ましい。
【００２２】
本発明の実施形態において、前記配信先情報は、前記送信データを送信した無線端末が在圏するセルを示すセル情報であって、前記配信エリア決定処理は、前記セル情報が示すセルを、配信エリアとして決定する処理である態様とするのが好ましい。
【００２３】
本発明の実施形態において、前記コンピュータは、所定の地域エリアと、当該地域エリアをカバーする１または複数のセルとの対応関係が記録された対応関係記録部をさらに備え、前記配信先情報は、前記送信データを送信した無線端末が在圏する地域エリアを示す地域エリア情報であって、前記配信エリア決定処理は、前記対応関係記録部を参照することにより、前記地域エリア情報が示す地域エリアをカバーする１または複数のセルを、配信エリアとして決定する処理である態様とするのが好ましい。
【００２４】
本発明の実施形態において、前記コンピュータは、１または複数のセルを示すセル情報が予め記録されたセル情報記録部をさらに備え、前記配信先情報は、前記セル情報記録部に記録されたセル情報の読み出しを指示する読出指示情報であって、前記配信エリア決定処理は、前記読出指示情報に基づいて、前記セル情報記録部からセル情報を読み出し、読み出したセル情報が示す１または複数のセルを、配信エリアとして決定する処理である態様とするのが好ましい。
【００２５】
本発明の実施形態において、前記送信データには、緊急配信か一般配信かを示す配信種別情報がさらに含まれており、前記管理エリア内に在圏する複数の無線端末が行う無線通信が輻輳しているか否かを判定する輻輳状態判定処理をさらに前記コンピュータに実行させ、前記無線制御処理は、前記輻輳状態判定処理により管理エリア内に在圏する複数の無線端末が行う無線通信が輻輳していると判定された場合に、前記配信種別情報が緊急配信であることを示していれば、前記配信エリア内に在圏する複数の無線端末のそれぞれに対して、前記通知情報を同報配信するように、前記データ送信部に対して指示し、前記配信種別情報が一般配信であることを示していれば、前記送信データを廃棄する処理である態様とするのが好ましい。
【００２６】
本発明の実施形態において、前記無線制御処理は、前記配信エリア内に在圏する複数の無線端末のそれぞれに対して、前記通知情報を同報配信するように、前記データ送信部に対して指示した後に、当該配信エリア内に新たな無線端末が移動してきた場合に、当該配信エリア内に移動してきた新たな無線端末に対して、前記通知情報を配信するように、前記データ送信部に対して指示する処理である態様とするのが好ましい。
【００２７】
以下、本発明のより具体的な実施形態について図面を参照しながら詳細に説明する。
【００２８】
[実施の形態１] 
図１は、本実施形態に係る配信システム１の概略構成を示すブロック図である。すなわち、本実施形態に係る配信システム１は、送信端末２、無線基地局装置３ａ〜３ｆ、無線制御装置４、および受信端末５ａ〜５ｋを備えている。送信端末（無線端末）２は、無線基地局装置３ａに対して、無線によりアクセス可能である。無線基地局装置３ａ〜３ｆは、受信端末（無線端末）５ａ〜５ｋに対して、無線によりアクセス可能である。なお、送信端末２および受信端末５ａ〜５ｋは、携帯電話、ＰＨＳ（Personal Handyphone System）、ＰＤＡ（Personal Digital Assistant）等である。すなわち、送信端末２は、後述する通知情報を同報配信するための権限が付与された無線端末である。例えば、送信端末２には、通知情報の同報配信を実現するソフトウェアが予めインストールされている。これにより、送信端末２の表示画面には、後述する配信設定画面が表示されることになる。一方、受信端末５ａ〜５ｋは、後述する通知情報を同報配信するための権限が付与されていない無線端末である。なお、本明細書において、送信端末および受信端末を区別する必要がない場合、あるいは、総称する場合には、単に、無線端末と称して説明する。
【００２９】
また、無線基地局装置３ａ〜３ｆと無線制御装置４とは、有線により互いに接続されている。さらに、無線制御装置４と上位ネットワーク（コアネットワーク）Ｎとは、有線により互いに接続されている。ここで、無線制御装置４は、管理エリア内に在圏する複数の無線端末と、上位ネットワークＮとの間の通信を中継する。ここで、管理エリアは、無線制御装置４が管理可能なエリアを示す。具体的には、管理エリアは、無線制御装置４に接続された複数の無線基地局装置３ａ〜３ｆのそれぞれが通信可能なエリアを示す。なお、在圏は、エリア内に無線端末が存在していることを意味する。
【００３０】
図１では、説明の簡略化のために、送信端末２を１台、無線基地局装置３ａ〜３ｆを６台、無線制御装置４を１台、および受信端末５ａ〜５ｋを１１台図示したが、配信システム１を構成する送信端末２、無線基地局装置３ａ〜３ｆ、無線制御装置４、および受信端末５ａ〜５ｋの数は任意である。また、配信システム１上に、端末装置、各種のサーバ（Ｗｅｂサーバ、メールサーバ、ホームページサーバ、プロキシサーバ、ＤＮＳサーバ、ＤＨＣＰサーバ、認証サーバ等）が存在していてもよい。
【００３１】
なお、本実施形態においては、一例として、図２に示すように、無線基地局装置３ａが通信可能なエリア（すなわち、無線基地局装置３ａの電波が届くエリア）を、セル３０ａと称して説明する。つまり、送信端末２および受信端末５ａは、無線基地局装置３ａのセル３０ａ内に在圏している。また、これと同様に、無線基地局装置３ｂ〜３ｆが通信可能なエリアを、それぞれセル３０ｂ〜３０ｆと称して説明する。すなわち、セル３０ａ〜３０ｆが、無線制御装置４の管理エリアとなる。
【００３２】
なお、本実施形態においては、説明の簡略化のために、１台の無線基地局装置には、１つのセルが対応している例について説明するが、実際には、１台の無線基地局装置には、複数のセル（例えば、２４セル）が対応している。
【００３３】
また、本実施形態においては、地域エリアとして、地域エリアＡ、地域エリアＢ、および地域エリアＣが存在しているものとする。なお、本実施形態においては、地域エリアＡの一部と地域エリアＢの一部とが重複しているものとする。地域エリアＡは、セル３０ａ〜３０ｃによってカバーされる。また、地域エリアＢは、セル３０ｃ〜３０ｅによってカバーされる。さらに、地域エリアＣは、セル３０ｆによってカバーされる。ここで、地域エリアＡ〜Ｃは、送信端末２のユーザが認識することが可能なエリアである。例えば、地域エリアＡ〜Ｃは、市区町村単位で表される。これに対して、セル３０ａ〜３０ｆは、無線基地局装置３ａ〜３ｆが通信可能なエリアであるので、通常、送信端末２のユーザは、セル３０ａ〜３０ｆの範囲を認識することができない。
【００３４】
送信端末２は、複数の受信端末のそれぞれに対して通知情報を一斉に配信（同報配信）するために、無線基地局装置３ａに対して、当該通知情報を含む送信データを送信する機能を有している。このため、まず、送信端末２の表示画面には、図３に示すように、「配信設定画面」が表示される。図３に示すように、「配信設定画面」には、配信先である地域エリアを選択するためのプルダウンメニューＰと、受信端末へ配信すべき内容を示す通知内容の入力欄Ｕと、送信ボタンＢとが表示されている。なお、図３に示す「配信設定画面」は、送信端末２のユーザが当該送信端末２に備えられた入力キー（図示せず）を操作することによって表示される。ここで、本実施形態においては、送信端末２のユーザは、プルダウンメニューＰの選択操作によって、配信エリアとして「地域エリアＡ」を選択（入力）したものとする。また、送信端末２のユーザは、通知内容として「地震が発生しました。緊急避難先は○○公園です。」を入力欄Ｕに入力したものとする。
【００３５】
送信端末２のユーザが、プルダウンメニューＰの選択操作によって地域エリアを選択し、かつ入力欄Ｕに通知内容を入力した後に、送信ボタンＢを指示した場合に、送信端末２は、無線基地局装置３ａに対して、送信データを送信する。図４は、本実施形態に係る送信端末２により送信された送信データのデータ構造の一例を示す図である。図４に示すように、送信データＤには、メッセージタイプＤ1と、送信元の識別番号Ｄ2と、要求情報Ｄ3と、配信先情報Ｄ4と、通知情報Ｄ5とを含んでいる。メッセージタイプＤ1は、送信データＤの種別を示す。送信元の識別番号Ｄ2は、送信元である送信端末２を一意に識別するための番号を示す。ここで、本実施形態においては、送信元の識別番号Ｄ2には、送信端末２の電話番号が組み込まれている。要求情報Ｄ3は、受信端末に対して通知情報Ｄ5を同報配信するように要求する情報である。配信先情報Ｄ4は、通知情報Ｄ5を配信すべき配信エリアを決定するための指標となる情報である。ここで、本実施形態においては、配信先情報Ｄ4には、送信端末２のユーザによって選択された地域エリアＡを示す地域エリア情報が組み込まれている。通知情報Ｄ5は、受信端末へ配信すべき通知内容を示す。本実施形態においては、通知情報Ｄ5には、「地震が発生しました。緊急避難先は○○公園です。」が組み込まれている。
【００３６】
無線基地局装置（Ｎｏｄｅ−Ｂ）３ａは、セル３０ａ内に在圏する送信端末２と無線制御装置４との間の通信を中継する。具体的には、無線基地局装置３ａは、送信端末２から送信された送信データを受信し、受信した送信データを、無線制御装置４に対して転送する。また、無線基地局装置３ａ〜３ｆは、無線制御装置４とセル３０ａ〜３０ｆ内に在圏する受信端末５ａ〜５ｋとの間の通信を中継する。具体的には、無線制御装置４から同報要求情報が送信された場合に、無線基地局装置３ａ〜３ｆは、受信端末５ａ〜５ｋに対して、当該同報要求情報に含まれる通知情報を同報配信する。なお、無線制御装置３ａ〜３ｆによる通知情報の同報配信についての詳細は後述する。
【００３７】
無線制御装置４は、送信端末２および受信端末５ａ〜５ｋと、上位ネットワークＮとの間に介在する。無線制御装置４は、無線基地局装置３ａ〜３ｆを制御し、かつ、発着信接続制御、終話制御、およびハンドオーバ処理等を行う。このため、データ受信部４１、無線制御部４２、位置情報管理部４３、呼制御部４４、対応関係記録部４５、配信エリア決定部４６、およびデータ送信部４７を備えている。
【００３８】
ここで、上記のデータ受信部４１、無線制御部４２、位置情報管理部４３、呼制御部４４、配信エリア決定部４６、およびデータ送信部４７の各機能は、コンピュータが備えるＣＰＵ等の演算装置が所定のプログラムを実行することによって実現される。したがって、上記の各機能をコンピュータで実現するためのプログラムまたはそれを記録した記録媒体も本発明の一実施態様である。また、対応関係記録部４５は、コンピュータの内蔵記憶装置またはこのコンピュータからアクセス可能な記憶装置によって具現化される。なお、以下で説明する実施の形態２〜６の部材についても、これと同様である。
【００３９】
データ受信部４１は、送信端末２から送信された送信データを、無線基地局装置３ａを介して受信する。すなわち、データ受信部４１は、無線基地局装置３ａから転送された送信データを受信する。データ受信部４１は、受信した送信データを無線制御部４２へ出力する。
【００４０】
無線制御部４２は、データ受信部４１から出力された送信データを解析する。具体的には、無線制御部４２は、まず、データ受信部４１から出力された送信データから要求情報を抽出する。無線制御部４２は、抽出した要求情報が同報配信するように要求する要求情報であった場合に、送信データからさらに配信先情報を抽出する。無線制御部４２は、通知情報を同報配信すべき配信エリアを決定するために、抽出した配信先情報を配信エリア決定部４６へ出力する。一方、無線制御部４２は、抽出した要求情報が同報配信するように要求する要求情報でない場合、例えば、呼を設定するように要求する要求情報であった場合には、データ受信部４１から出力された送信データを、呼制御部４４へ出力する。
【００４１】
位置情報管理部４３は、送信端末２および受信端末５ａ〜５ｋが現在どのセル３０ａ〜３０ｆ内に在圏しているのかを示す位置情報を、端末毎に管理する。なお、本実施形態においては、位置情報管理部４３は、無線制御装置４内に備えられているが、上位ネットワークＮ内に存在していてもよい。但し、この場合、無線制御装置４は、上位ネットワークＮ内の位置情報管理部に定期的にアクセスする必要がある。
【００４２】
呼制御部４４は、例えば、管理エリア内に在圏する無線端末から発呼要求を受け付けた場合、すなわち、無線制御部４２から送信データが出力された場合に、受け付けた発呼要求を、上位ネットワークＮへ転送する。つまり、上位ネットワークＮに備えられた図示しない交換機が、転送された発呼要求を受信する。交換機は、受信した発呼要求を解析するとともに、ホームメモリ等を参照することによって、着信要求を送信すべき無線制御装置を特定する。交換機は、特定した無線制御装置に対して、着信要求を送信する。このため、呼制御部４４は、交換機から送信された着信要求を受信する機能を備えている。呼制御部４４は、受信した着信要求を、当該着信要求が示す無線基地局装置へ転送する。
【００４３】
対応関係記録部４５は、所定の地域エリアと、当該地域エリアをカバーする１または複数のセルとの対応関係を記録する。このため、対応関係記録部４５は、対応関係を、例えば、図５に示すように、対応関係テーブル４５０として記録する。すなわち、本実施形態に係る対応関係テーブル４５０には、図２に示すように、地域エリアＡ〜Ｃと、無線基地局装置３ａ〜３ｆのセル３０ａ〜３０ｆとの対応関係が記録されている。
【００４４】
なお、上記では、対応関係記録部４５は、対応関係をテーブル形式にて記録する例について説明したが、これに限定されない。すなわち、対応関係記録部４５の記録形式については任意である。
【００４５】
配信エリア決定部４６は、無線制御部４２から出力された配信先情報を指標として配信エリアを決定する。具体的には、配信エリア決定部４６は、対応関係記録部４５を参照することにより、無線制御部４２から出力された配信先情報が示す地域エリアをカバーする１または複数のセルを、配信エリアとして決定する。ここで、本実施形態においては、無線制御部４２から出力された配信先情報は、送信端末２のユーザによって選択された地域エリアＡを示す地域エリア情報である。この場合、配信エリア決定部４６は、図５に示す対応関係テーブル４５０を参照することにより、地域エリアＡをカバーするセル３０ａ〜３０ｃを配信エリアとして決定する。配信エリア決定部４６は、決定した配信エリアを無線制御部４２へ通知する。
【００４６】
無線制御部４２は、配信エリア決定部４６から配信エリアが通知された場合に、当該配信エリア内に在圏する複数の受信端末のそれぞれに対して、通知情報を同報配信するように、データ送信部４７に対して指示する。本実施形態においては、無線制御部４２は、配信エリアであるセル３０ａ〜３０ｃ内に在圏する受信端末５ａ〜５ｅに対して、通知情報を同報配信するように、データ送信部４７に対して指示する。具体的には、無線制御部４２は、配信エリアであるセル３０ａ〜３０ｃ内に在圏する受信端末５ａ〜５ｅに対して、通知情報を同報配信するために、当該通知情報を含む同報要求情報を生成する。無線制御部４２は、生成した同報要求情報を、配信エリアであるセル３０ａ〜３０ｃを管理する無線基地局装置３ａ〜３ｃに対して送信するように、データ送信部４７に対して指示する。
【００４７】
データ送信部４７は、無線制御部４２からの指示に従って、無線制御部４２により生成された同報要求情報を、無線基地局装置３ａ〜３ｃに対して送信する。
【００４８】
無線基地局装置３ａ〜３ｃは、無線制御装置４のデータ送信部４７から送信された同報要求情報を受信する。無線基地局装置３ａ〜３ｃは、受信した同報要求情報を解析することによって、当該同報要求情報から通知情報を抽出する。無線基地局装置３ａ〜３ｃは、受信端末５ａ〜５ｅに対して、通知情報を同報配信する。すなわち、無線基地局装置３ａは、受信端末５ａに対して、通知情報を同報配信する。また、無線基地局装置３ｂは、受信端末５ｂ，５ｃに対して、通知情報を同報配信する。さらに、無線基地局装置３ｃは、受信端末５ｄ，５ｅに対して、通知情報を同報配信する。
【００４９】
受信端末５ａ〜５ｅは、無線基地局装置３ａ〜３ｃから同報配信された通知情報を受信する。これにより、受信端末５ａ〜５ｅの表示画面には、送信端末２のユーザによって入力された通知内容、すなわち、「地震が発生しました。緊急避難先は○○公園です。」が表示される。そのため、受信端末５ａ〜５ｅのユーザは、緊急避難先が○○公園であることを知ることができる。
【００５０】
以上、配信システム１の構成について説明したが、配信システム１の構成は、図１に示す構成に限定されない。例えば、無線基地局装置３ａ〜３ｆの機能を備えた無線制御装置４であってもよい。この場合、図１に示す配信システム１には、無線制御装置３ａ〜３ｆを備える必要はない。すなわち、無線制御装置４は、無線基地局装置３ａ〜３ｆを介することなく、直接、送信端末２から受信端末５ａ〜５ｋへの無線通信を制御する。
【００５１】
次に、上記の構成に係る配信システム１の動作について、図６を参照しながら説明する。
【００５２】
図６は、本実施形態に係る配信システム１の動作の一例を示すシーケンス図である。図６に示すように、送信端末２は、無線基地局装置３ａに対して、送信データを送信する（＃１）。なお、送信データには、上述にて説明したように、メッセージタイプと、送信元の識別番号と、要求情報と、配信先情報と、通知情報とが含まれている（図４参照）。本実施形態においては、配信先情報は、送信端末２のユーザによって選択された地域エリアＡを示す地域エリア情報である。また、通知情報は、「地震が発生しました。緊急避難先は○○公園です。」を示す情報である。
【００５３】
そして、無線基地局装置３ａは、＃１にて送信された送信データを受信し、受信した送信データを、無線制御装置４に対して転送する（＃２）。
【００５４】
次に、無線制御装置４のデータ受信部４１は、＃２にて転送された送信データを受信し、受信した送信データを、無線制御部４２へ出力する（＃３）。無線制御部４２は、＃３にて出力された送信データを解析する（＃４）。解析の結果、無線制御部４２は、送信データに含まれる要求情報が同報配信するように要求する要求情報でない場合、例えば、呼を設定するように要求する要求情報であった場合には、＃３にて出力された送信データを、呼制御部４４へ出力する（＃５）。この場合、呼制御部４４は、上位ネットワークＮへ発呼要求を転送する。一方、無線制御部４２は、送信データに含まれる要求情報が同報配信するように要求する要求情報であった場合に、通知情報を同報配信すべき配信エリアを決定するために、送信データに含まれる配信先情報を配信エリア決定部４６へ出力する（＃６）。
【００５５】
配信エリア決定部４６は、対応関係記録部４５を参照することにより、＃６にて出力された配信先情報が示す地域エリアをカバーする１または複数のセルを、配信エリアとして決定する（＃７）。ここで、本実施形態においては、＃６にて出力された配信先情報は、送信端末２のユーザによって選択された地域エリアＡを示す地域エリア情報である。このため、配信エリア決定部４６は、対応関係記録部４５を参照することにより、地域エリアＡをカバーするセル３０ａ〜３０ｃを配信エリアとして決定する。配信エリア決定部４６は、＃７にて決定された配信エリアを、無線制御部４２へ通知する（＃８）。
【００５６】
無線制御部４２は、＃８にて配信エリアが通知された場合に、当該配信エリアであるセル３０ａ〜３０ｃ内に在圏する受信端末５ａ〜５ｅに対して、通知情報を同報配信するために、当該通知情報を含む同報要求情報を生成する（＃９）。そして、無線制御部４２は、＃９にて生成された同報要求情報を、配信エリアであるセル３０ａ〜３０ｃを管理する無線基地局装置３ａ〜３ｃに対して送信するように、データ送信部４７に対して指示する（＃１０）。
【００５７】
そして、データ送信部４７は、＃１０の指示に従って、＃９にて生成された同報要求情報を、無線基地局装置３ａに対して送信する（＃１１）。無線基地局装置３ａは、＃１１にて送信された同報要求情報を解析し、当該同報要求情報から通知情報を抽出する。無線基地局装置３ａは、受信端末５ａに対して、通知情報を同報配信する（＃１２）。
【００５８】
また、データ送信部４７は、＃１０の指示に従って、＃９にて生成された同報要求情報を、無線基地局装置３ｂに対して送信する（＃１３）。無線基地局装置３ｂは、＃１３にて送信された同報要求情報を解析し、当該同報要求情報から通知情報を抽出する。無線基地局装置３ｂは、受信端末５ｂ，５ｃに対して、通知情報を同報配信する（＃１４）。
【００５９】
さらに、データ送信部４７は、＃１０の指示に従って、＃８にて生成された同報要求情報を、無線基地局装置３ｃに対して送信する（＃１５）。無線基地局装置３ｃは、＃１５にて送信された同報要求情報を解析し、当該同報要求情報から通知情報を抽出する。無線基地局装置３ｃは、受信端末５ｄ，５ｅに対して、通知情報を同報配信する（＃１６）。
【００６０】
これにより、受信端末５ａ〜５ｅの表示画面には、送信端末２のユーザによって入力された通知内容、すなわち、「地震が発生しました。緊急避難先は○○公園です。」が表示される。なお、図６において、＃１１、＃１３、および＃１５の処理が直列的に実行される態様としているが、＃１１、＃１３、および＃１５の処理が並列的に実行される態様であってもよい。
【００６１】
以上のように、本実施形態に係る無線制御装置４によれば、データ受信部４１は、管理エリア内に在圏する複数の無線端末のうち一の無線端末から送信された送信データを受信する。ここで、送信データは、管理エリアの全部または一部の配信エリア内に在圏する複数の無線端末のそれぞれに対して配信すべき内容を示す通知情報と、配信エリアを決定するための指標となる配信先情報とを含む。そして、配信エリア決定部４６は、配信先情報を指標として配信エリアを決定する。無線制御部４２は、決定された配信エリア内に在圏する複数の無線端末のそれぞれに対して、通知情報を同報配信するように、無線制御装置４が備えるデータ送信部４７に対して指示する。これにより、配信エリア内に在圏する複数の無線端末のそれぞれに対して、上位ネットワークＮを介することなく、通知情報が同報配信される。この結果、上位ネットワークＮの輻輳状態に関わらず、配信エリア内に在圏する複数の無線端末のそれぞれに対して、確実に通知情報を同報配信することができる。
【００６２】
[実施の形態２]
図７は、本実施形態に係る配信システム１ａの概略構成を示すブロック図である。すなわち、本実施形態に係る配信システム１ａでは、送信端末２ａの有する機能が、図１に示す送信端末２とは異なっている。なお、本実施形態においては、送信端末２ａは、無線基地局装置３ａのセル３０ａ内に在圏しているものとする。また、本実施形態に係る配信システム１ａでは、無線制御装置５の機能が、図１に示す無線制御装置４とは異なっている。なお、図７において、図１と同様の機能を有する構成については、同じ参照符号を付記し、その詳細な説明を省略する。
【００６３】
送信端末２ａは、図１に示す送信端末２と同様に、複数の受信端末のそれぞれに対して通知情報を同報配信するために、無線基地局装置３ａに対して、当該通知情報を含む送信データを送信する機能を有している。但し、本実施形態においては、送信端末２ａにより送信される送信データの配信先情報は、当該送信端末２ａが在圏するセルを示すセル情報となる。そのため、本実施形態に係る送信端末２ａの表示画面には、図３に示す「配信設定画面」とは異なり、図８に示す「配信設定画面」が表示される。図８に示すように、本実施形態に係る「配信設定画面」には、配信エリアとして「在圏のセル」Ｓと、受信端末へ配信すべき内容を示す通知内容の入力欄Ｕと、送信ボタンＢとが表示されている。なお、図８に示す「配信設定画面」に表示された「在圏のセル」Ｓは、送信端末２ａが在圏しているセルであることを示している。
【００６４】
無線制御装置５は、図１に示す配信エリア決定部４６の代わりに、配信エリア決定部５１を備えている。なお、本実施形態に係る無線制御装置５は、図１に示す対応関係記録部４５を備えていない。
【００６５】
配信エリア決定部５１は、図１に示す配信エリア決定部４６と同様に、無線制御部４２から出力された配信先情報を指標として配信エリアを決定する。具体的には、配信エリア決定部５１は、まず、無線制御部４２から出力された配信先情報が示すセルを配信エリアとして決定する。ここで、本実施形態においては、無線制御部４２から出力された配信先情報は、送信端末２ａが在圏するセルを示すセル情報である。このため、セル３０ａが配信エリアとして決定される。配信エリア決定部５１は、決定した配信エリアを無線制御部４２へ通知する。
【００６６】
次に、上記の構成に係る配信システム１ａの動作について、図９を参照しながら説明する。図９は、本実施形態に係る配信システム１ａの動作の一例を示すシーケンス図である。なお、図９において、＃１〜＃６の処理は、図６における＃１〜＃６の処理と同様である。
【００６７】
図９に示すように、配信エリア決定部５１は、＃６にて出力された配信先情報が示すセルが、セル３０ａ〜３０ｆのうちどのセルを示しているのかを判定する（＃２１）。ここで、本実施形態においては、＃６にて出力された配信先情報は、送信端末２ａが在圏するセルを示すセル情報である。このため、配信エリア決定部５１は、＃６にて出力された配信先情報が示すセルはセル３０ａであると判定する。
【００６８】
そして、配信エリア決定部５１は、＃２１にて判定されたセルを配信エリアとして決定する（＃２２）。本実施形態においては、＃２１にて判定されたセルがセル３０ａであるので、配信エリア決定部５１は、当該セル３０ａを配信エリアとして決定する。配信エリア決定部５１は、＃２２にて決定された配信エリアを、無線制御部４２へ通知する（＃２３）。
【００６９】
無線制御部４２は、＃２３にて配信エリアが通知された場合に、当該配信エリアであるセル３０ａ内に在圏する受信端末５ａに対して、通知情報を同報配信するために、当該通知情報を含む同報要求情報を生成する（＃２４）。そして、無線制御部４２は、＃２４にて生成された同報要求情報を、配信エリアであるセル３０ａを管理する無線制御装置３ａに対して送信するように、データ送信部４７に対して指示する（＃２５）。
【００７０】
そして、データ送信部４７は、＃２５の指示に従って、＃２４にて生成された同報要求情報を、無線基地局装置３ａに対して送信する（＃２６）。無線基地局装置３ａは、＃２６にて送信された同報要求情報を解析し、当該同報要求情報から通知情報を抽出する。無線基地局装置３ａは、受信端末５ａに対して、通知情報を同報配信する（＃２７）。
【００７１】
以上のように、本実施形態に係る無線制御装置５によれば、送信端末２ａが在圏するセルを、配信エリアとして決定している。このため、送信端末２ａが在圏するセル内に在圏している複数の受信端末のそれぞれに対して、通知情報を同報配信することができる。
【００７２】
[実施の形態３]
図１０は、本実施形態に係る配信システム１ｂの概略構成を示すブロック図である。すなわち、本実施形態に係る配信システム１ｂでは、送信端末２ｂの有する機能が、図１に示す送信端末２とは異なっている。なお、本実施形態においては、送信端末２ｂは、無線基地局装置３ａのセル３０ａ内に在圏しているものとする。また、本実施形態に係る配信システム１ｂでは、無線制御装置６の機能が、図１に示す無線制御装置４とは異なっている。なお、図１０において、図１と同様の機能を有する構成については、同じ参照符号を付記し、その詳細な説明を省略する。
【００７３】
送信端末２ｂは、図１に示す送信端末２と同様に、複数の受信端末のそれぞれに対して通知情報を同報配信するために、無線基地局装置３ａに対して、当該通知情報を含む送信データを送信する機能を有している。但し、本実施形態においては、送信端末２ｂが送信する送信データの配信先情報は、当該送信端末２ｂが在圏する地域エリアを示す地域エリア情報となる。そのため、本実施形態に係る送信端末２ｂの表示画面には、図３に示す「配信設定画面」とは異なり、図１１に示す「配信設定画面」が表示される。図１１に示すように、本実施形態に係る「配信設定画面」には、配信エリアとして「在圏の地域エリア」Ｅと、受信端末へ配信すべき内容を示す通知内容の入力欄Ｕと、送信ボタンＢとが表示されている。なお、図８に示す「配信設定画面」に表示された「在圏の地域エリア」Ｅは、送信端末２ｂが在圏している地域エリアであることを示している。
【００７４】
無線制御装置６は、図１に示す配信エリア決定部４６の代わりに、配信エリア決定部６１を備えている。
【００７５】
配信エリア決定部６１は、図１に示す配信エリア決定部４６と同様に、無線制御部４２から出力された配信先情報を指標として配信エリアを決定する。具体的には、配信エリア決定部６１は、まず、無線制御部４２から出力された配信先情報が示す地域エリアがカバーする１または複数のセルを配信エリアとして決定する。ここで、本実施形態においては、無線制御部４２から出力された配信先情報は、送信端末２ｂが在圏する地域エリアＡを示す地域エリア情報である。このため、配信エリア決定部６１は、対応関係記録部４５を参照することにより、地域エリアＡをカバーするセル３０ａ〜３０ｃを配信エリアとして決定する。配信エリア決定部６１は、決定した配信エリアを無線制御部４２へ通知する。
【００７６】
次に、上記の構成に係る配信システム１ｂの動作について、図１２を参照しながら説明する。図１２は、本実施形態に係る配信システム１ｂの動作の一例を示すシーケンス図である。なお、図１２において、＃１〜＃６の処理は、図６における＃１〜＃６の処理と同様である。
【００７７】
図１２に示すように、配信エリア決定部６１は、＃６にて出力された配信先情報が示す地域エリアが、地域エリアＡ〜Ｃのうちどの地域エリアを示しているのかを判定する（＃３１）。ここで、本実施形態においては、＃６にて出力された配信先情報は、送信端末２ｂが在圏する地域エリアを示す地域エリア情報である。このため、配信エリア決定部６１は、＃６にて出力された配信先情報が示す地域エリアは地域エリアＡであると判定する。
【００７８】
そして、配信エリア決定部６１は、対応関係記録部４５を参照することにより、＃３１にて判定された地域エリアをカバーする１または複数のセルを配信エリアとして決定する（＃３２）。ここで、本実施形態においては、＃３１にて判定された地域エリアが地域エリアＡであるので、配信エリア決定部６１は、地域エリアＡをカバーするセル３０ａ〜３０ｃを配信エリアとして決定する。配信エリア決定部６１は、＃３２にて決定された配信エリアを、無線制御部４２へ通知する（＃３３）。
【００７９】
そして、配信システム１ｂは、＃３４〜＃４１の処理を行う。なお、図１２に示す＃３４〜＃４１の処理は、図６に示す＃９〜＃１６の処理と同様であるので、ここではその説明は省略する。
【００８０】
以上のように、本実施形態に係る無線制御装置６によれば、送信端末２ｂが在圏する地域エリアをカバーする１または複数のセルを、配信エリアとして決定している。このため、送信端末２ｂが在圏する地域エリア内に在圏している複数の受信端末のそれぞれに対して、通知情報を同報配信することができる。
【００８１】
[実施の形態４]
図１３は、本実施形態に係る配信システム１ｃの概略構成を示すブロック図である。すなわち、本実施形態に係る配信システム１ｃでは、送信端末２ｃの有する機能が、図１に示す送信端末２とは異なっている。なお、本実施形態においては、送信端末２ｃは、無線基地局装置３ａのセル３０ａ内に在圏しているものとする。また、本実施形態に係る配信システム１ｃでは、無線制御装置７の機能が、図１に示す無線制御装置４とは異なっている。なお、図１３において、図１と同様の機能を有する構成については、同じ参照符号を付記し、その詳細な説明を省略する。
【００８２】
送信端末２ｃは、図１に示す送信端末２と同様に、複数の受信端末のそれぞれに対して通知情報を同報配信するために、無線基地局装置３ａに対して、当該通知情報を含む送信データを送信する機能を有している。但し、本実施形態においては、送信端末２ｃが送信する送信データの配信先情報は、セル情報記録部７１に記録されたセル情報の読み出しを指示する読出指示情報となる。そのため、本実施形態に係る送信端末２ｃの表示画面には、図３に示す「配信設定画面」とは異なり、図１４に示す「配信設定画面」が表示される。図１４に示すように、本実施形態に係る「配信設定画面」には、配信エリアとして「既定の配信エリア」Ｍと、受信端末へ配信すべき内容を示す通知内容の入力欄Ｕと、送信ボタンＢとが表示されている。なお、図１４に示す「配信設定画面」に表示された「既定の配信エリア」Ｍは、後述する無線制御装置７のセル情報記録部７１に記録されたセル情報が示す１または複数のセルであることを示している。
【００８３】
無線制御装置７は、図１に示す対応関係記録部４５の代わりに、セル情報記録部７１を備えている。また、無線制御装置７は、図１に示す配信エリア決定部４６の代わりに、配信エリア決定部７２を備えている。
【００８４】
セル情報記録部７１は、１または複数のセルを示すセル情報を予め記録する。本実施形態においては、一例として、セル情報記録部７１には、セル３０ａ〜３０ｃを示すセル情報が予め記録されている。なお、セル情報は、無線制御装置７の管理者によってセル情報記録部７１へ記録される。
【００８５】
配信エリア決定部７２は、無線制御部４２から出力された配信先情報を指標として配信エリアを決定する。本実施形態においては、無線制御部４２から出力された配信先情報は、セル情報記録部７１に記録されたセル情報の読み出しを指示する読出指示情報である。このため、配信エリア決定部７２は、無線制御部４２から出力された配信先情報に基づいて、セル情報記録部７１に記録されたセル情報を読み出す。配信エリア決定部７２は、読み出したセル情報が示すセルを配信エリアとして決定する。本実施形態においては、読み出したセル情報が示すセルはセル３０ａ〜３０ｃであるので、配信エリア決定部７２は、セル３０ａ〜３０ｃを配信エリアとして決定する。
【００８６】
次に、上記の構成に係る配信システム１ｃの動作について、図１５を参照しながら説明する。図１５は、本実施形態に係る配信システム１ｃの動作の一例を示すシーケンス図である。なお、図１５において、＃１〜＃６の処理は、図６における＃１〜＃６の処理と同様である。
【００８７】
図１５に示すように、配信エリア決定部７２は、＃６にて出力された配信先情報に基づいて、セル情報記録部７１に記録されたセル情報を読み出す（＃５１）。そして、配信エリア決定部７２は、読み出したセル情報が示すセルを配信エリアとして決定する（＃５２）。本実施形態においては、読み出したセル情報が示すセルはセル３０ａ〜３０ｃであるので、配信エリア決定部７２は、セル３０ａ〜３０ｃを配信エリアとして決定する。配信エリア決定部７２は、＃５２にて決定された配信エリアを、無線制御部４２へ通知する（＃５３）。
【００８８】
そして、配信システム１ｃは、＃５４〜＃６１の処理を行う。なお、図１５に示す＃５４〜＃６１の処理は、図６に示す＃９〜＃１６の処理と同様であるので、ここではその説明は省略する。
【００８９】
以上のように、本実施形態に係る無線制御装置７によれば、セル情報記録部７１に予め記録されたセル情報が示す１または複数のセルを、配信エリアとして決定している。このため、セル情報記録部７１に予め記録されたセル情報が示す１または複数のセル内に在圏している複数の受信端末のそれぞれに対して、通知情報を同報配信することができる。
【００９０】
[実施の形態５]
図１６は、本実施形態に係る配信システム１ｄの概略構成を示すブロック図である。すなわち、本実施形態に係る配信システム１ｄでは、送信端末２ｄの有する機能が、図１に示す送信端末２とは異なっている。なお、本実施形態においては、送信端末２ｄは、無線基地局装置３ａのセル３０ａ内に在圏しているものとする。また、本実施形態に係る配信システム１ｄでは、無線制御装置８の機能が、図１に示す無線制御装置４とは異なっている。なお、図１６において、図１と同様の機能を有する構成については、同じ参照符号を付記し、その詳細な説明を省略する。
【００９１】
送信端末２ｄは、図１に示す送信端末２と同様に、複数の受信端末のそれぞれに対して通知情報を同報配信するために、無線基地局装置３ａに対して、当該通知情報を含む送信データを送信する機能を有している。但し、本実施形態においては、送信端末２ｄが送信する送信データには、一般配信か緊急配信かを示す配信種別情報がさらに含まれている。そのため、本実施形態に係る送信端末２ｄの表示画面には、図３に示す「配信設定画面」とは異なり、図１７に示す「配信設定画面」が表示される。図１７に示すように、本実施形態に係る「配信設定画面」には、配信エリアを選択するためのプルダウンメニューＰと、受信端末へ配信すべき内容を示す通知内容の入力欄Ｕと、一般配信か緊急配信かを選択するためのラジオボタンＲと、送信ボタンＢとが表示されている。すなわち、図１７に示す「配信設定画面」には、図３に示す「配信設定画面」に加えて、一般配信か緊急配信かを選択するためのラジオボタンＲが表示されている。なお、図１７では、移動端末２ｄのユーザによって緊急配信のラジオボタンが選択されている。
【００９２】
無線制御装置８は、図１に示す無線制御装置４に加えて、輻輳状態判定部８１を備えている。また、無線制御装置８は、図１に示す無線制御部４２の代わりに、無線制御部８２を備えている。
【００９３】
輻輳状態判定部８１は、管理エリア内に在圏する複数の無線端末が行う無線通信が輻輳しているか否かを判定する。ここで、輻輳は、利用できる電波の空きが減少し、あるいは通信の混雑により、無線端末の通話や通信ができなくなることをいう。具体的には、輻輳状態判定部８１は、無線制御装置８の処理状況に基づいて、管理エリア内に在圏する複数の無線端末が行う無線通信が輻輳しているか否かを判定する。例えば、輻輳状態判定部８１は、無線制御装置８のＣＰＵやメモリ（共に図示せず）等のリソース、および無線通信を行うための管理リソースの使用状況を監視することにより、複数の無線端末が行う無線通信が輻輳しているか否かを判定する。例えば、輻輳状態判定部８１は、無線制御装置８のＣＰＵを監視することにより、当該ＣＰＵの使用率が閾値以上であれば、複数の無線端末が行う無線通信が輻輳していると判定する。輻輳状態判定部８１は、複数の無線端末が行う無線通信が輻輳していると判定すれば、無線制御部８２に対して、輻輳していることを通知する。
【００９４】
無線制御部８２は、データ受信部４１から出力された送信データを解析する。具体的には、無線制御部８２は、まず、データ受信部４１から出力された送信データから要求情報を抽出する。無線制御部８２は、抽出した要求情報が同報配信するように要求する要求情報であった場合に、送信データからさらに配信種別情報を抽出する。ここで、本実施形態に係る無線制御部８２は、輻輳状態判定部８１から輻輳していることが通知された場合に、抽出した配信種別情報が一般配信か緊急配信かに応じて、次の処理を行う。すなわち、抽出した配信種別情報が一般配信であることを示していれば、無線制御部８２は、データ受信部４１から出力された送信データを廃棄する。一方、抽出した配信種別情報が緊急配信であることを示していれば、無線制御部８２は、送信データからさらに配信先情報を抽出する。無線制御部８２は、通知情報を同報配信すべき配信エリアを決定するために、抽出した配信先情報を配信エリア決定部４６へ出力する。一方、無線制御部８２は、抽出した要求情報が同報配信するように要求する要求情報でない場合、例えば、呼を設定するように要求する要求情報であった場合には、データ受信部４１から出力された送信データを、呼制御部４４へ出力する。
【００９５】
また、無線制御部８２は、配信エリア決定部４６から配信エリアが通知された場合に、当該配信エリア内に在圏する複数の受信端末のそれぞれに対して、通知情報を同報配信するように、データ送信部４７に対して指示する。本実施形態においては、無線制御部８２は、配信エリアであるセル３０ａ〜３０ｃ内に在圏する受信端末５ａ〜５ｅに対して、通知情報を同報配信するように、データ送信部４７に対して指示する。具体的には、無線制御部８２は、配信エリアであるセル３０ａ〜３０ｃ内に在圏する受信端末５ａ〜５ｅに対して、通知情報を同報配信するために、当該通知情報を含む同報要求情報を生成する。無線制御部８２は、生成した同報要求情報を、配信エリアであるセル３０ａ〜３０ｃを管理する無線基地局装置３ａ〜３ｃに対して送信するように、データ送信部４７に対して指示する。
【００９６】
データ送信部４７は、無線制御部８２からの指示に従って、無線制御部８２により生成された同報要求情報を、無線基地局装置３ａ〜３ｃに対して送信する。無線基地局装置３ａ〜３ｃは、無線制御装置８のデータ送信部４７から送信された同報要求情報を受信する。無線基地局装置３ａ〜３ｃは、受信した同報要求情報を解析することによって、当該同報要求情報から通知情報を抽出する。無線基地局装置３ａ〜３ｃは、通知情報を、受信端末５ａ〜５ｅのそれぞれに共通に割り当てられた共通チャネルを用いて、当該受信端末５ａ〜５ｅに対して同報配信する。
【００９７】
すなわち、本実施形態においては、受信端末５ａ〜５ｅのそれぞれに個別に割り当てられた個別チャネルを用いるのではなく、受信端末５ａ〜５ｅのそれぞれに共通に割り当てられた共通チャネルを用いて、通知情報を同報配信する。つまり、共通チャネルは、無線通信の輻輳には左右されない。このため、管理エリア内に在圏する複数の無線端末が行う無線通信が輻輳している場合であっても、配信エリア内に在圏する受信端末５ａ〜５ｅに対して、通知情報を同報配信することができる。
【００９８】
次に、上記の構成に係る配信システム１ｄの動作について、図１８を参照しながら説明する。図１８は、本実施形態に係る配信システム１ｄの動作の一例を示すシーケンス図である。なお、図１８において、＃１〜＃４の処理は、図６における＃１〜＃４の処理と同様である。
【００９９】
図１８に示すように、輻輳状態判定部８１は、管理エリア内に在圏する複数の無線端末が行う無線通信が輻輳しているか否かを判定し、輻輳していると判定すれば、無線制御部８２に対して、輻輳していることを通知する（＃７１）。
【０１００】
そして、無線制御部８２は、＃３にて出力された送信データに含まれる配信種別情報が一般配信であることを示していれば（＃７２）、＃３にて出力された送信データを廃棄する（＃７３）。一方、無線制御部８２は、＃３にて出力された送信データに含まれる配信種別情報が緊急配信であることを示していれば（＃７４）、通知情報を同報配信すべき配信エリアを決定するために、＃３にて出力された送信データに含まれる配信先情報を配信エリア決定部４６へ出力する（＃７５）。
【０１０１】
そして、配信システム１ｄは、＃７６〜＃８５の処理を行う。なお、図１８に示す＃７６〜＃８５の処理は、図６に示す＃７〜＃１６の処理と同様であるので、ここではその説明は省略する。
【０１０２】
以上のように、本実施形態に係る無線制御装置８によれば、輻輳状態判定部８１により管理エリア内に在圏する複数の無線端末が行う無線通信が輻輳していると判定された場合に、無線制御部８２は、配信種別情報が緊急配信か一般配信かに応じて、次の処理を行う。すなわち、配信種別情報が緊急配信であることを示していれば、無線制御部８２は、配信エリア内に在圏する複数の無線端末のそれぞれに対して、通知情報を同報配信するように、データ送信部４７に対して指示する。一方、配信種別情報が一般配信であることを示していれば、無線制御部８２は、送信データを廃棄する。すなわち、配信種別情報が緊急配信であることを示していれば、無線制御部８２は、輻輳状態判定部８１により管理エリア内に在圏する複数の無線端末が行う無線通信が輻輳していると判定された場合であっても、配信エリア内に在圏する複数の無線端末のそれぞれに対して、通知情報を同報配信するように、データ送信部４７に対して指示することができる。
【０１０３】
[実施の形態６]
図１９は、本実施形態に係る配信システム１ｅの概略構成を示すブロック図である。すなわち、本実施形態に係る配信システム１ｅでは、無線制御装置９の有する機能が、図１に示す無線制御装置４とは異なっている。なお、図１９において、図１と同様の機能を有する構成については、同じ参照符号を付記し、その詳細な説明を省略する。
【０１０４】
無線制御装置９は、図１に示す位置情報管理部４３の代わりに、位置情報管理部９１を備えている。また、無線制御装置９は、図１に示す無線制御部４２の代わりに、無線制御部９２を備えている。
【０１０５】
なお、本実施形態においては、一例として、無線制御部９２は、実施の形態１にて説明したように、配信エリアであるセル３０ａ〜３０ｃ内に在圏する受信端末５ａ〜５ｅに対して、通知情報を同報配信するように、データ送信部４７に対して指示したものとする。すなわち、配信エリアであるセル３０ａ〜３０ｃ内に在圏する受信端末５ａ〜５ｅに対して、通知情報が同報配信されたものとする。ここで、本実施形態においては、図２０に示すように、配信エリアであるセル３０ａ〜３０ｃ内に在圏する受信端末５ａ〜５ｅに対して通知情報が同報配信された後に、セル３０ｆ内に在圏していた受信端末５ｋが、セル３０ｂ内に移動してきた場合について説明する。
【０１０６】
すなわち、本実施形態に係る受信端末５ｋは、セル３０ｆからセル３０ｂへ移動したため、新たなセル３０ｂへ移動した時点で、当該セル３０ｂを示す位置情報を、無線基地局装置３ｂに対して送信する。具体的には、受信端末５ｋは、無線基地局装置３ｂから定期的に送信される報知情報を解読することにより、無線基地局装置３ｆのセル３０ｆから無線基地局装置３ｂのセル３０ｂへ移動したことを検知する。受信端末５ｋは、セル３０ｆからセル３０ｂへ移動したことを検知すれば、受信端末５ｋが在圏するセル３０ｂを示す位置情報を、無線基地局装置３ｂに対して送信する。無線基地局装置３ｂは、受信端末５ｋから送信された位置情報を受信し、受信した位置情報を、無線制御装置９に対して転送する。なお、位置情報には、受信端末５ｋの識別番号も含まれている。
【０１０７】
位置情報管理部９１は、受信端末５ｋから送信された位置情報を、無線基地局装置３ｂを介して受信する。すなわち、位置情報管理部９１は、無線基地局装置３ｂから転送された位置情報を受信する。位置情報管理部９１は、受信した位置情報を、位置情報管理部９１の図示しないメモリに記録する。また、位置情報管理部９１は、受信した位置情報を無線制御部９２へ出力する。なお、位置情報管理部９１の図示しないメモリに記録された位置情報は、ハンドオーバ処理時等に使用される。
【０１０８】
無線制御部９２は、位置情報管理部９１から出力された位置情報が示すセルが、配信エリアのセルであるか否かを判定する。本実施形態においては、配信エリアのセルは、セル３０ａ〜３０ｃである。また、位置情報管理部９１から出力された位置情報が示すセルはセル３０ｂである。このため、本実施形態に係る無線制御部９２は、位置情報管理部９１から出力された位置情報が示すセルが、配信エリアのセルであると判定する。この場合、無線制御部９２は、配信エリアであるセル３０ｂ内に移動してきた受信端末５ｋに対して、通知情報を配信するように、データ送信部４７に対して指示する。具体的には、無線制御部９２は、受信端末５ｋに対して通知情報を配信するために、当該通知情報を含む配信要求情報を生成する。無線制御部９２は、生成した配信要求情報を、セル３０ｂを管理する無線基地局装置３ｂに対して送信するように、データ送信部４７に対して指示する。
【０１０９】
データ送信部４７は、無線制御部９２からの指示に従って、無線制御部９２により生成された配信要求情報を、無線基地局装置３ｂに対して送信する。
【０１１０】
無線基地局装置３ｂは、無線制御装置９のデータ送信部４７から送信された配信要求情報を受信する。無線基地局装置３ｂは、受信した配信要求情報を解析することによって、当該配信要求情報から通知情報を抽出する。無線基地局装置３ｂは、受信端末５ｋに対して、通知情報を配信する。
【０１１１】
次に、上記の構成に係る配信システム１ｅの動作について、図２１を参照しながら説明する。
【０１１２】
図２１は、本実施形態に係る配信システム１ｅの動作の一例を示すシーケンス図である。図２１に示すように、受信端末５ｋは、無線基地局装置３ｂに対して、位置情報を送信する（＃９１）。そして、無線基地局装置３ｂは、＃９１にて送信された位置情報を受信し、受信した位置情報を、無線制御装置９に対して転送する（＃９２）。
【０１１３】
次に、無線制御装置９の位置情報管理部９１は、＃９２にて転送された位置情報を受信し、受信した位置情報を、無線制御部９２へ出力する（＃９３）。無線制御部９２は、＃９３にて出力された位置情報が示すセルが、配信エリアのセルであるか否かを判定する（＃９４）。無線制御部９２は、＃９３にて出力された位置情報が示すセルが配信エリアのセルであると判定すれば、セル３０ｂ内に在圏する受信端末５ｋに対して通知情報を配信するために、当該通知情報を含む配信要求情報を生成する（＃９５）。そして、無線制御部９２は、＃９５にて生成された配信要求情報を、セル３０ｂを管理する無線基地局装置３ｂに対して送信するように、データ送信部４７に対して指示する（＃９６）。
【０１１４】
そして、データ送信部４７は、＃９６の指示に従って、＃９５にて生成された配信要求情報を、無線基地局装置３ｂに対して送信する（＃９７）。無線基地局装置３ｂは、＃９７にて送信された配信要求情報を解析し、当該配信要求情報から通知情報を抽出する。無線基地局装置３ｂは、受信端末５ｋに対して、通知情報を配信する（＃９８）。
【０１１５】
以上のように、本実施形態に係る無線制御装置９によれば、配信エリア内に在圏する複数の受信端末のそれぞれに対して、通知情報を同報配信した後に、当該配信エリア内に新たな受信端末が移動してきた場合であっても、当該配信エリア内に移動してきた新たな受信端末に対して、通知情報を配信することができる。
【０１１６】
以上の実施の形態に関し、更に以下の付記を開示する。
【０１１７】
（付記１）
管理エリア内に在圏する複数の無線端末と、上位ネットワークとの間の通信を中継する無線制御装置において、
前記管理エリアの全部または一部の配信エリア内に在圏する複数の無線端末のそれぞれに対して配信すべき内容を示す通知情報と、前記配信エリアを決定するための指標となる配信先情報とを含む送信データが、前記管理エリア内に在圏する複数の無線端末のうち一の無線端末から送信され、当該無線端末から送信された送信データを受信するデータ受信部と、
前記配信先情報を指標として配信エリアを決定する配信エリア決定部と、
前記配信エリア決定部により決定された配信エリア内に在圏する複数の無線端末のそれぞれに対して、前記通知情報を同報配信するように、前記無線制御装置が備えるデータ送信部に対して指示する無線制御部とを備えたことを特徴とする無線制御装置。
【０１１８】
（付記２）
前記無線制御装置は、所定の地域エリアと、当該地域エリアをカバーする１または複数のセルとの対応関係が記録された対応関係記録部をさらに備え、
前記配信先情報は、前記送信データを送信した無線端末のユーザによって入力された地域エリアを示す地域エリア情報であって、
前記配信エリア決定部は、前記対応関係記録部を参照することにより、前記地域エリア情報が示す地域エリアをカバーする１または複数のセルを、配信エリアとして決定する、付記１に記載の無線制御装置。
【０１１９】
（付記３）
前記配信先情報は、前記送信データを送信した無線端末が在圏するセルを示すセル情報であって、
前記配信エリア決定部は、前記セル情報が示すセルを、配信エリアとして決定する、付記１に記載の無線制御装置。
【０１２０】
（付記４）
前記無線制御装置は、所定の地域エリアと、当該地域エリアをカバーする１または複数のセルとの対応関係が記録された対応関係記録部をさらに備え、
前記配信先情報は、前記送信データを送信した無線端末が在圏する地域エリアを示す地域エリア情報であって、
前記配信エリア決定部は、前記対応関係記録部を参照することにより、前記地域エリア情報が示す地域エリアをカバーする１または複数のセルを、配信エリアとして決定する、付記１に記載の無線制御装置。
【０１２１】
（付記５）
前記無線制御装置は、１または複数のセルを示すセル情報が予め記録されたセル情報記録部をさらに備え、
前記配信先情報は、前記セル情報記録部に記録されたセル情報の読み出しを指示する読出指示情報であって、
前記配信エリア決定部は、前記読出指示情報に基づいて、前記セル情報記録部からセル情報を読み出し、読み出したセル情報が示す１または複数のセルを、配信エリアとして決定する、付記１に記載の無線制御装置。
【０１２２】
（付記６）
前記送信データには、緊急配信か一般配信かを示す配信種別情報がさらに含まれており、
前記無線制御装置は、前記管理エリア内に在圏する複数の無線端末が行う無線通信が輻輳しているか否かを判定する輻輳状態判定部をさらに備え、
前記無線制御部は、前記輻輳状態判定部により管理エリア内に在圏する複数の無線端末が行う無線通信が輻輳していると判定された場合に、前記配信種別情報が緊急配信であることを示していれば、前記配信エリア内に在圏する複数の無線端末のそれぞれに対して、前記通知情報を同報配信するように、前記データ送信部に対して指示し、前記配信種別情報が一般配信であることを示していれば、前記送信データを廃棄する、付記１〜５のいずれか一項に記載の無線制御装置。
【０１２３】
（付記７）
前記無線制御部は、前記配信エリア内に在圏する複数の無線端末のそれぞれに対して、前記通知情報を同報配信するように、前記データ送信部に対して指示した後に、当該配信エリア内に新たな無線端末が移動してきた場合に、当該配信エリア内に移動してきた新たな無線端末に対して、前記通知情報を配信するように、前記データ送信部に対して指示する、付記１〜６のいずれか一項に記載の無線制御装置。
【０１２４】
（付記８）
管理エリア内に在圏する複数の無線端末と、上位ネットワークとの間の通信を中継するコンピュータが処理を実行する無線制御方法において、
前記コンピュータが備えるデータ受信部が、前記管理エリアの全部または一部の配信エリア内に在圏する複数の無線端末のそれぞれに対して配信すべき内容を示す通知情報と、前記配信エリアを決定するための指標となる配信先情報とを含む送信データが、前記管理エリア内に在圏する複数の無線端末のうち一の無線端末から送信され、当該無線端末から送信された送信データを受信するデータ受信工程と、
前記コンピュータが備える配信エリア決定部が、前記配信先情報を指標として配信エリアを決定する配信エリア決定工程と、
前記コンピュータが備える無線制御部が、前記配信エリア決定工程により決定された配信エリア内に在圏する複数の無線端末のそれぞれに対して、前記通知情報を同報配信するように、前記コンピュータが備えるデータ送信部に対して指示する無線制御工程とを含むことを特徴とする無線制御方法。
【０１２５】
（付記９）
管理エリア内に在圏する複数の無線端末と、上位ネットワークとの間の通信を中継するコンピュータに処理を実行させるプログラムにおいて、
前記管理エリアの全部または一部の配信エリア内に在圏する複数の無線端末のそれぞれに対して配信すべき内容を示す通知情報と、前記配信エリアを決定するための指標となる配信先情報とを含む送信データが、前記管理エリア内に在圏する複数の無線端末のうち一の無線端末から送信され、当該無線端末から送信された送信データを受信するデータ受信処理と、
前記配信先情報を指標として配信エリアを決定する配信エリア決定処理と、
前記配信エリア決定処理により決定された配信エリア内に在圏する複数の無線端末のそれぞれに対して、前記通知情報を同報配信するように、前記コンピュータが備えるデータ送信部に対して指示する無線制御処理とを前記コンピュータに実行させることを特徴とするプログラム。
【０１２６】
（付記１０）
前記コンピュータは、所定の地域エリアと、当該地域エリアをカバーする１または複数のセルとの対応関係が記録された対応関係記録部をさらに備え、
前記配信先情報は、前記送信データを送信した無線端末のユーザによって入力された地域エリアを示す地域エリア情報であって、
前記配信エリア決定処理は、前記対応関係記録部を参照することにより、前記地域エリア情報が示す地域エリアをカバーする１または複数のセルを、配信エリアとして決定する処理である、付記９に記載のプログラム。
【０１２７】
（付記１１）
前記配信先情報は、前記送信データを送信した無線端末が在圏するセルを示すセル情報であって、
前記配信エリア決定処理は、前記セル情報が示すセルを、配信エリアとして決定する処理である、付記９に記載のプログラム。
【０１２８】
（付記１２）
前記コンピュータは、所定の地域エリアと、当該地域エリアをカバーする１または複数のセルとの対応関係が記録された対応関係記録部をさらに備え、
前記配信先情報は、前記送信データを送信した無線端末が在圏する地域エリアを示す地域エリア情報であって、
前記配信エリア決定処理は、前記対応関係記録部を参照することにより、前記地域エリア情報が示す地域エリアをカバーする１または複数のセルを、配信エリアとして決定する処理である、付記９に記載のプログラム。
【０１２９】
（付記１３）
前記コンピュータは、１または複数のセルを示すセル情報が予め記録されたセル情報記録部をさらに備え、
前記配信先情報は、前記セル情報記録部に記録されたセル情報の読み出しを指示する読出指示情報であって、
前記配信エリア決定処理は、前記読出指示情報に基づいて、前記セル情報記録部からセル情報を読み出し、読み出したセル情報が示す１または複数のセルを、配信エリアとして決定する処理である、付記９に記載のプログラム。
【０１３０】
（付記１４）
前記送信データには、緊急配信か一般配信かを示す配信種別情報がさらに含まれており、
前記管理エリア内に在圏する複数の無線端末が行う無線通信が輻輳しているか否かを判定する輻輳状態判定処理をさらに前記コンピュータに実行させ、
前記無線制御処理は、前記輻輳状態判定処理により管理エリア内に在圏する複数の無線端末が行う無線通信が輻輳していると判定された場合に、前記配信種別情報が緊急配信であることを示していれば、前記配信エリア内に在圏する複数の無線端末のそれぞれに対して、前記通知情報を同報配信するように、前記データ送信部に対して指示し、前記配信種別情報が一般配信であることを示していれば、前記送信データを廃棄する処理である、付記９〜１３のいずれか一項に記載のプログラム。
【０１３１】
（付記１５）
前記無線制御処理は、前記配信エリア内に在圏する複数の無線端末のそれぞれに対して、前記通知情報を同報配信するように、前記データ送信部に対して指示した後に、当該配信エリア内に新たな無線端末が移動してきた場合に、当該配信エリア内に移動してきた新たな無線端末に対して、前記通知情報を配信するように、前記データ送信部に対して指示する処理である、付記９〜１４のいずれか一項に記載のプログラム。
【産業上の利用可能性】
【０１３２】
以上のように、本発明は、上位ネットワークの輻輳状態に関わらず、配信エリア内に在圏する複数の無線端末のそれぞれに対して、確実に通知情報を同報配信することができる無線制御装置、無線制御方法、またはプログラムとして有用である。
【図面の簡単な説明】
【０１３３】
【図１】図１は、第１の実施形態に係る配信システムの概略構成を示すブロック図である。
【図２】図２は、地域エリアと、無線基地局装置が通信可能なセルとの関係を説明するための説明図である。
【図３】図３は、送信端末の表示画面に表示された配信設定画面の一例を示す図である。
【図４】図４は、送信端末により送信された送信データのデータ構造の一例を示す図である。
【図５】図５は、対応関係記録部に記録された対応関係の一例を示す図である。
【図６】図６は、上記配信システムの動作の一例を示すシーケンス図である。
【図７】図７は、第２の実施形態に係る配信システムの概略構成を示すブロック図である。
【図８】図８は、送信端末の表示画面に表示された配信設定画面の一例を示す図である。
【図９】図９は、上記配信システムの動作の一例を示すシーケンス図である。
【図１０】図１０は、第３の実施形態に係る配信システムの概略構成を示すブロック図である。
【図１１】図１１は、送信端末の表示画面に表示された配信設定画面の一例を示す図である。
【図１２】図１２は、上記配信システムの動作の一例を示すシーケンス図である。
【図１３】図１３は、第４の実施形態に係る配信システムの概略構成を示すブロック図である。
【図１４】図１４は、送信端末の表示画面に表示された配信設定画面の一例を示す図である。
【図１５】図１５は、上記配信システムの動作の一例を示すシーケンス図である。
【図１６】図１６は、第５の実施形態に係る配信システムの概略構成を示すブロック図である。
【図１７】図１７は、送信端末の表示画面に表示された配信設定画面の一例を示す図である。
【図１８】図１８は、上記配信システムの動作の一例を示すシーケンス図である。
【図１９】図１９は、第６の実施形態に係る配信システムの概略構成を示すブロック図である。
【図２０】図２０は、配信エリア外であるセル３０ｆ内に在圏していた受信端末５ｋが、配信エリア内であるセル３０ｂ内に移動してきたことを説明するための説明図である。
【図２１】図２１は、上記配信システムの動作の一例を示すシーケンス図である。
【図２２】図２２は、従来の配信システムの概略構成を示すブロック図である。
【符号の説明】
【０１３４】
２  送信端末（無線端末）
４、５、６、７、８、９  無線制御装置
４１  データ受信部
４２、８２、９２  無線制御部
４５  対応関係記録部
４６、５１、６１、７２  配信エリア決定部
４７  データ送信部
７１  セル情報記録部
８１  輻輳状態判定部
５ａ〜５ｅ  受信端末（無線端末）
Ｎ  上位ネットワーク
【図１】
2009232093.tif 000003
【図２】
2009232093.tif 000004
【図３】
2009232093.tif 000005
【図４】
2009232093.tif 000006
【図５】
2009232093.tif 000007
【図６】
2009232093.tif 000008
【図７】
2009232093.tif 000009
【図８】
2009232093.tif 000010
【図９】
2009232093.tif 000011
【図１０】
2009232093.tif 000012
【図１１】
2009232093.tif 000013
【図１２】
2009232093.tif 000014
【図１３】
2009232093.tif 000015
【図１４】
2009232093.tif 000016
【図１５】
2009232093.tif 000017
【図１６】
2009232093.tif 000018
【図１７】
2009232093.tif 000019
【図１８】
2009232093.tif 000020
【図１９】
2009232093.tif 000021
【図２０】
2009232093.tif 000022
【図２１】
2009232093.tif 000023
【図２２】
2009232093.tif 000024